【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
メディアコンテンツを処理する方法であって、前記方法は、
メディアコンテンツの第１のパッキングされた領域を処理することであって、前記第１のパッキングされた領域は第１の復号されたビデオデータを備える、処理することと、ここにおいて、前記第１のパッキングされた領域を処理することは、
第１のアンパッキングされた領域を作り出すために、前記第１のパッキングされた領域をアンパッキングすることと、
前記第１のアンパッキングされた領域から第１の投影された領域を形成することと
を備え、ここにおいて、前記第１の投影された領域を形成することは、前記第１の復号されたビデオデータを補完し、補完された前記第１の復号されたビデオデータを再位置付けすることを備える、
前記メディアコンテンツの第２のパッキングされた領域を処理することであって、前記第２のパッキングされた領域は第２の復号されたビデオデータを備え、前記第２のパッキングされた領域は少なくとも部分的に前記第１のパッキングされた領域とオーバーラップする、処理することと、ここにおいて、前記第２のパッキングされた領域を処理することは、
第２のアンパッキングされた領域を作り出すために、前記第２のパッキングされた領域をアンパッキングすることと、
前記第２のアンパッキングされた領域から第２の投影された領域を形成することと
を備え、前記第２の投影された領域は、前記第１の投影された領域とは異なり、ここにおいて、前記第２の投影された領域を形成することは前記第２の復号されたビデオデータを再位置付けすることを備える、
を備える、方法。
【請求項２】
前記第１のパッキングされた領域を処理することは、
第１の幅値から前記第１のパッキングされた領域の第１の幅を決定することと、
第１の高さ値から前記第１のパッキングされた領域の第１の高さを決定することと、
第１の上部値から前記第１のパッキングされた領域の第１の上部オフセットを決定することと、
第１の左値から前記第１のパッキングされた領域の第１の左オフセットを決定することと
を備え、
前記第１のパッキングされた領域を処理することは、
第２の幅値から前記第２のパッキングされた領域の第２の幅を決定することと、
第２の高さ値から前記第２のパッキングされた領域の第２の高さを決定することと、
第２の上部値から前記第２のパッキングされた領域の第２の上部オフセットを決定することと、
第２の左値から前記第２のパッキングされた領域の第２の左オフセットを決定することと
を備える、請求項１に記載の方法。
【請求項３】
前記第１の幅値は、packed_reg_width[i]値を備え、前記第１の高さ値は、packed_reg_height[i]値を備え、前記第１の上部値は、packed_reg_top[i]値を備え、前記第１の左値は、packed_reg_left[i]を備え、前記第２の幅値は、packed_reg_width[j]値を備え、前記第２の高さ値は、packed_reg_height[j]値を備え、前記第２の上部値は、packed_reg_top[j]値を備え、および前記第２の左値は、packed_reg_left[j]値を備える、請求項２に記載の方法。
【請求項４】
前記第２のパッキングされた領域を処理することは、
前記第１のパッキングされた領域とオーバーラップする前記第２のパッキングされた領域の一部分を決定することと、
前記第２のパッキングされた領域の前記一部分とオーバーラップする前記第１のパッキングされた領域の対応する一部分で、前記第２のパッキングされた領域の前記一部分を充填することと
をさらに備え、
ここにおいて、前記第２のパッキングされた領域をアンパッキングすることは、前記充填された一部分を含む前記第２のパッキングされた領域をアンパッキングして前記第２のアンパッキングされた領域を作り出すことを備える、請求項１に記載の方法。
【請求項５】
前記メディアコンテンツは、平面視である、請求項１に記載の方法。
【請求項６】
前記メディアコンテンツは、立体視である、請求項１に記載の方法。
【請求項７】
前記第１のパッキングされた領域は、前記メディアコンテンツの第１のピクチャに対応し、および前記第２のパッキングされた領域は、前記メディアコンテンツの第２のピクチャに対応する、請求項６に記載の方法。
【請求項８】
前記第１のパッキングされた領域は、前記メディアコンテンツのピクチャに対応し、および前記第２のパッキングされた領域は、前記メディアコンテンツの前記ピクチャに対応する、請求項６に記載の方法。
【請求項９】
前記第１のパッキングされた領域および前記第２のパッキングされた領域を定義するマニフェストファイルのデータを処理することをさらに備える、請求項１に記載の方法。
【請求項１０】
前記マニフェストファイルは、ＨＴＴＰを通した動的適応型ストリーミング（ＤＡＳＨ）メディアプレゼンテーション記述（ＭＰＤ）を備える、請求項９に記載の方法。
【請求項１１】
前記メディアコンテンツの事前選択レベルでコンテンツカバレッジ記述を処理することをさらに備える、請求項１に記載の方法。
【請求項１２】
前記コンテンツカバレッジ記述を処理することは、前記コンテンツカバレッジ記述を備えるマニフェストファイルを処理することを備える、請求項１１に記載の方法。
【請求項１３】
前記マニフェストファイルは、ＨＴＴＰを通した動的適応型ストリーミング（ＤＡＳＨ）メディアプレゼンテーション記述（ＭＰＤ）を備える、請求項１２に記載の方法。
【請求項１４】
前記メディアコンテンツについてのＨＴＴＰを通した動的適応型ストリーミング（ＤＡＳＨ）データのFramePacking要素のビデオフレームパッキングタイプ値を処理することと、
前記ＤＡＳＨデータの前記FramePacking要素の五点形サンプリングフラッグ値を処理することと
をさらに備える、請求項１に記載の方法。
【請求項１５】
前記ＤＡＳＨデータは、ＤＡＳＨメディアプレゼンテーション記述（ＭＰＤ）を備える、請求項１４に記載の方法。
【請求項１６】
メディアコンテンツを処理するためのデバイスであって、前記デバイスは、
メディアコンテンツを記憶するように構成されたメモリと、
回路においてインプリメントされた１つまたは複数のプロセッサと
を備え、前記１つまたは複数のプロセッサは、
前記メディアコンテンツの第１のパッキングされた領域を処理することであって、前記第１のパッキングされた領域は第１の復号されたビデオデータを備える、処理することと、ここにおいて、前記第１のパッキングされた領域を処理するために、前記１つまたは複数のプロセッサは、
第１のアンパッキングされた領域を作り出すために、前記第１のパッキングされた領域をアンパッキングすることと、
前記第１のアンパッキングされた領域から第１の投影された領域を形成することとを行うように構成され、ここにおいて、前記第１の投影された領域を形成するために、前記１つまたは複数のプロセッサは、前記第１の復号されたビデオデータを補完し、補完された前記第１の復号されたビデオデータを再位置付けするように構成される、
前記メディアコンテンツの第２のパッキングされた領域を処理することであって、前記第２のパッキングされた領域は第２の復号されたビデオデータを備え、前記第２のパッキングされた領域は少なくとも部分的に前記第１のパッキングされた領域とオーバーラップする、処理することと、ここにおいて、前記第２のパッキングされた領域を処理するために、前記１つまたは複数のプロセッサは、
第２のアンパッキングされた領域を作り出すために、前記第２のパッキングされた領域をアンパッキングすることと、
前記第２のアンパッキングされた領域から第２の投影された領域を形成することとを行うように構成され、ここにおいて、前記第２の投影された領域を形成するために、前記１つまたは複数のプロセッサは、前記第２の復号されたビデオデータを再位置付けするように構成される、
を行うように構成される、デバイス。
【請求項１７】
前記第１のパッキングされた領域を処理するために、前記１つまたは複数のプロセッサは、
第１の幅値から前記第１のパッキングされた領域の第１の幅を決定することと、
第１の高さ値から前記第１のパッキングされた領域の第１の高さを決定することと、
第１の上部値から前記第１のパッキングされた領域の第１の上部オフセットを決定することと、
第１の左値から前記第１のパッキングされた領域の第１の左オフセットを決定することと
を行うように構成され、
前記第２のパッキングされた領域を処理するために、前記１つまたは複数のプロセッサは、
第２の幅値から前記第２のパッキングされた領域の第２の幅を決定することと、
第２の高さ値から前記第２のパッキングされた領域の第２の高さを決定することと、
第２の上部値から前記第２のパッキングされた領域の第２の上部オフセットを決定することと、
第２の左値から前記第２のパッキングされた領域の第２の左オフセットを決定することと
を行うように構成される、請求項１６に記載のデバイス。
【請求項１８】
前記第１の幅値は、packed_reg_width[i]値を備え、前記第１の高さ値は、packed_reg_height[i]値を備え、前記第１の上部値は、packed_reg_top[i]値を備え、前記第１の左値は、packed_reg_left[i]を備え、前記第２の幅値は、packed_reg_width[j]値を備え、前記第２の高さ値は、packed_reg_height[j]値を備え、前記第２の上部値は、packed_reg_top[j]値を備え、および前記第２の左値は、packed_reg_left[j]値を備える、請求項１７に記載のデバイス。
【請求項１９】
前記第２のパッキングされた領域を処理するために、前記１つまたは複数のプロセッサは、
前記第１のパッキングされた領域とオーバーラップする前記第２のパッキングされた領域の一部分を決定することと、
前記第２のパッキングされた領域の前記一部分とオーバーラップする前記第１のパッキングされた領域の対応する一部分で、前記第２のパッキングされた領域の前記一部分を充填することと
を行うようにさらに構成され、
ここにおいて、前記第２のパッキングされた領域をアンパッキングために、前記１つまたは複数のプロセッサは、前記充填された一部分を含む前記第２のパッキングされた領域をアンパッキングして前記第２のアンパッキングされた領域を作り出すように構成される、請求項１６に記載のデバイス。
【請求項２０】
前記メディアコンテンツは、平面視である、請求項１６に記載のデバイス。
【請求項２１】
前記メディアコンテンツは、立体視である、請求項１６に記載のデバイス。
【請求項２２】
前記第１のパッキングされた領域は、前記メディアコンテンツの第１のピクチャに対応し、および前記第２のパッキングされた領域は、前記メディアコンテンツの第２のピクチャに対応する、請求項２１に記載のデバイス。
【請求項２３】
前記第１のパッキングされた領域は、前記メディアコンテンツのピクチャに対応し、および前記第２のパッキングされた領域は、前記メディアコンテンツの前記ピクチャに対応する、請求項２１に記載のデバイス。
【請求項２４】
前記１つまたは複数のプロセッサは、前記第１のパッキングされた領域および前記第２のパッキングされた領域を定義するマニフェストファイルのデータを処理するようにさらに構成される、請求項１６に記載のデバイス。
【請求項２５】
前記マニフェストファイルは、ＨＴＴＰを通した動的適応型ストリーミング（ＤＡＳＨ）メディアプレゼンテーション記述（ＭＰＤ）を備える、請求項２４に記載のデバイス。
【請求項２６】
前記１つまたは複数のプロセッサは、前記メディアコンテンツの事前選択レベルでコンテンツカバレッジ記述を処理するようにさらに構成される、請求項１６に記載のデバイス。
【請求項２７】
前記コンテンツカバレッジ記述を処理することは、前記コンテンツカバレッジ記述を備えるマニフェストファイルを処理することを備える、請求項２６に記載のデバイス。
【請求項２８】
前記マニフェストファイルは、ＨＴＴＰを通した動的適応型ストリーミング（ＤＡＳＨ）メディアプレゼンテーション記述（ＭＰＤ）を備える、請求項２７に記載のデバイス。
【請求項２９】
前記１つまたは複数のプロセッサは、
前記メディアコンテンツについてのＨＴＴＰを通した動的適応型ストリーミング（ＤＡＳＨ）データのFramePacking要素のビデオフレームパッキングタイプ値を処理することと、
前記ＤＡＳＨデータの前記FramePacking要素の五点形サンプリングフラッグ値を処理することと
を行うようにさらに構成される、請求項１６に記載のデバイス。
【請求項３０】
前記ＤＡＳＨデータは、ＤＡＳＨメディアプレゼンテーション記述（ＭＰＤ）を備える、請求項２９に記載のデバイス。
【請求項３１】
前記デバイスは、
集積回路と、
マイクロプロセッサと、
ワイヤレス通信デバイスと
のうちの少なくとも１つを備える、請求項１６に記載のデバイス。
【請求項３２】
前記デバイスは、クライアントデバイスを備える、請求項１６に記載のデバイス。
【請求項３３】
メディアコンテンツを処理するためのデバイスであって、前記デバイスは、
メディアコンテンツの第１のパッキングされた領域を処理するための手段であって、前記第１のパッキングされた領域は第１の復号されたビデオデータを備える、処理するための手段と、ここにおいて、前記第１のパッキングされた領域を前記処理するための手段は、
第１のアンパッキングされた領域を作り出すために、前記第１のパッキングされた領域をアンパッキングするための手段と、
前記第１のアンパッキングされた領域から第１の投影された領域を形成するための手段と
を備え、ここにおいて、前記第１の投影された領域を形成するための手段は、前記第１の復号されたビデオデータを補完するための手段と、補完された前記第１の復号されたビデオデータを再位置付けするための手段とを備える、
を備える、
前記メディアコンテンツの第２のパッキングされた領域を処理するための手段であって、前記第２のパッキングされた領域は第２の復号されたビデオデータを備え、前記第２のパッキングされた領域は少なくとも部分的に前記第１のパッキングされた領域とオーバーラップする、処理するための手段と、ここにおいて、前記第２のパッキングされた領域を前記処理するための手段は、
第２のアンパッキングされた領域を作り出すために、前記第２のパッキングされた領域をアンパッキングするための手段と、
前記第２のアンパッキングされた領域から第２の投影された領域を形成するための手段と
を備え、前記第２の投影された領域は、前記第１の投影された領域とは異なり、ここにおいて、前記第２の投影された領域を形成するための手段は前記第２の復号されたビデオデータを再位置付けするための手段とを備える、
を備える、デバイス。
【請求項３４】
前記第１のパッキングされた領域を前記処理するための手段は、
第１の幅値から前記第１のパッキングされた領域の第１の幅を決定するための手段と、
第１の高さ値から前記第１のパッキングされた領域の第１の高さを決定するための手段と、
第１の上部値から前記第１のパッキングされた領域の第１の上部オフセットを決定するための手段と、
第１の左値から前記第１のパッキングされた領域の第１の左オフセットを決定するための手段と、
を備え、
前記第１のパッキングされた領域を前記処理するための手段は、
第２の幅値から前記第２のパッキングされた領域の第２の幅を決定するための手段と、
第２の高さ値から前記第２のパッキングされた領域の第２の高さを決定するための手段と、
第２の上部値から前記第２のパッキングされた領域の第２の上部オフセットを決定するための手段と、
第２の左値から前記第２のパッキングされた領域の第２の左オフセットを決定するための手段と
を備える、請求項３３に記載のデバイス。
【請求項３５】
前記第１の幅値は、packed_reg_width[i]値を備え、前記第１の高さ値は、packed_reg_height[i]値を備え、前記第１の上部値は、packed_reg_top[i]値を備え、前記第１の左値は、packed_reg_left[i]を備え、前記第２の幅値は、packed_reg_width[j]値を備え、前記第２の高さ値は、packed_reg_height[j]値を備え、前記第２の上部値は、packed_reg_top[j]値を備え、および前記第２の左値は、packed_reg_left[j]値を備える、請求項３４に記載のデバイス。
【請求項３６】
前記第２のパッキングされた領域を前記処理するための手段は、
前記第１のパッキングされた領域とオーバーラップする前記第２のパッキングされた領域の一部分を決定するための手段と、
前記第２のパッキングされた領域の前記一部分とオーバーラップする前記第１のパッキングされた領域の対応する一部分で、前記第２のパッキングされた領域の前記一部分を充填するための手段と
をさらに備え、
ここにおいて、前記第２のパッキングされた領域を前記アンパッキングするための手段は、前記充填された一部分を含む前記第２のパッキングされた領域をアンパッキングして前記第２のアンパッキングされた領域を作り出すための手段を備える、請求項３３に記載のデバイス。
【請求項３７】
前記メディアコンテンツは、立体視である、請求項３３に記載のデバイス。
【請求項３８】
前記第１のパッキングされた領域は、前記メディアコンテンツの第１のピクチャに対応し、および前記第２のパッキングされた領域は、前記メディアコンテンツの第２のピクチャに対応する、請求項３７に記載のデバイス。
【請求項３９】
前記第１のパッキングされた領域は、前記メディアコンテンツのピクチャに対応し、および前記第２のパッキングされた領域は、前記メディアコンテンツの前記ピクチャに対応する、請求項３７に記載のデバイス。